(57)【要約】【課題】計器用変圧器の一次側接地線取外し作業を安全かつ確実に実施することができるガス絶縁開閉装置を提供する。【解決手段】接地開閉器１１３および計器用変圧器１１６を具備し、計器用変圧器１１６の一次側接地線１１６ａに取り付けられている接地線取外し器１１８の接続バー１１８ａを抜くことにより一次側接地線１１６ａを取り外すことができるガス絶縁開閉装置であって、接続バー１１８ａを抜くことができないようにロックするための接続バーロック器具１１と、少なくとも接地開閉器１１３が閉じられていることを条件として接続バーロック器具１１による接続バー１１８ａのロックを解除するためのロック器具駆動装置１２とをさらに具備する。【選択図】図１
2010154630.tif 000002
【特許請求の範囲】
【請求項１】
接地開閉器（１１３）および計器用変圧器（１１６）を具備し、該計器用変圧器の一次側接地線（１１６ａ）に取り付けられている接地線取外し器（１１８）の接続バー（１１８ａ）を抜くことにより該一次側接地線を取り外すことができるガス絶縁開閉装置であって、
前記接続バーを抜くことができないようにロックするための接続バーロック手段（１１）と、
少なくとも前記接地開閉器が閉じられていることを条件として前記接続バーロック手段による前記接続バーのロックを解除するためのロック解除手段（１２）と、
をさらに具備することを特徴とする、ガス絶縁開閉装置。
【請求項２】
前記接続バーが、第１および第２の締付ナット（１１８ｂ1，１１８ｂ2）を緩めることにより抜くことができ、
前記接続バーロック手段が、前記第１および第２の締付ナットを緩めることができないようにして前記接続バーをロックする手段（１１ｂ）を備える、
ことを特徴とする、請求項１記載のガス絶縁開閉装置。
【請求項３】
前記計器用変圧器の２次電圧が所定の電圧検出基準値以上であるかを検出するための電圧検出手段（１１７）と、
前記一次側接地線に設けられた変流器（２０）と、
該変流器の２次電流が所定の電流検出基準値以上であるかを検出するための電流検出手段（２１）と、
前記ロック解除手段を動作させるための機械的スイッチ手段（１３）とをさらに具備し、
前記ロック解除手段が、前記電圧検出手段によって前記電圧検出基準値以上の２次電圧が検出されず、かつ、前記電流検出手段によって前記電流検出基準値以上の２次電流が検出されず、かつ、前記接地開閉器が閉じられており、かつ、前記機械的スイッチ手段が閉じられたことを条件として、前記接続バーロック手段による前記接続バーのロックを解除する手段（１２ａ，１２ｂ）を備える、
ことを特徴とする、請求項１または２記載のガス絶縁開閉装置。
【請求項４】
前記接地線取外し器と並列に設けられた機械的スイッチ（５０）をさらに具備し、
前記ロック解除手段が、前記機械的スイッチが閉じられていることをさらに条件として、前記接続バーロック手段による前記接続バーのロックを解除する、
ことを特徴とする、請求項１乃至３いずれかに記載のガス絶縁開閉装置。
【発明の詳細な説明】
【技術分野】
【０００１】
本発明は、ガス絶縁開閉装置に関し、特に、送電線路電力ケーブル引込方式のガス絶縁開閉装置（ＧＩＳ）が備える計器用変圧器（ＬＰＴ）の一次側接地線を安全かつ確実に取り外すのに好適なガス絶縁開閉装置に関する。
【背景技術】
【０００２】
従来、送電線路電力ケーブル引込方式のガス絶縁開閉装置１１０は、図６に示すように、遮断器収納部１１０ａと、遮断器収納部１１０ａと連通された断路器・接地開閉器収納部１１０ｂと、断路器・接地開閉器収納部１１０ｂの底部に設けられたケーブルヘッド１１４と、断路器・接地開閉器収納部１１０ｂと連通された避雷器収納部１１０ｃと、避雷器収納部１１０ｃの上方に設けられた計器用変圧器収納部１１０ｄとを備える。
【０００３】
また、遮断器収納部１１０ａには、図７に示すように一端が母線１に接続された遮断器（ＣＢ）１１１が収納されている。
断路器・接地開閉器収納部１１０ｂには、一端が遮断器１１１の他端に接続された断路器（ＤＳ）１１２と、一端が断路器１１２の他端に接続されるとともに他端が接地された接地開閉器（ＬＥ）１１３とが収納されている。なお、断路器１１２の他端は、ケーブルヘッド１１４を介して送電線路にも接続されている。
避雷器収納部１１０ｃには、入力端が断路器１１２の他端に接続されるとともに出力端が接地された避雷器（ＬＡ）１１５が収納されている。
計器用変圧器収納部１１０ｄには、一次側入力端が断路器１１２の他端および避雷器１１５の入力端に接続されるとともに一次側出力端が一次側接地線１１６ａに接続された計器用変圧器１１６が収納されている。なお、計器用変圧器１１６の２次側から出力される２次電圧は電圧リレー（Ｖｘ）１１７に入力されている。
【０００４】
図６に示すようにメガー（絶縁抵抗計）２００を用いて送電線路絶縁抵抗を測定する際には、送電線路電力ケーブル引込方式のガス絶縁開閉装置１１０に組み込まれている計器用変圧器１１６の一次側接地線１１６ａを取り付けたままであると送電線路絶縁抵抗値が零になるため、一次側接地線１１６ａに取り付けられている接地線取外し器１１８の接続バー１１８ａを抜いて一次側接地線１１６ａを取り外している。
このとき、接続バー１１８ａは、作業員が第１および第２の締付ナット１１８ｂ1，１１８ｂ2をスパナなどで緩めることによって抜かれる。
【０００５】
なお、下記の特許文献１には、高圧電路の絶縁抵抗を測定するときの接地形計器用変圧器の接地端子を接地する接地線の取外しおよび取付け作業を不要にするために、接地形計器用変圧器の高圧巻線の接地端子を所定の容量値のコンデンサを介して大地に接地することによって、運転中は交流が印加されているので、コンデンサの容量を充分大きなものにしておけば実質的に直接接地したのと同様になり、高圧電路と接続されている電気機器の絶縁抵抗測定時には、コンデンサは直流を通さないので接地形計器用変圧器の高圧巻線は大地から切り離されたのと同じ状態になることから、コンデンサを接続したままで絶縁抵抗の測定が可能になるようにした接地形計器用変圧器が開示されている。
【特許文献１】特開平６−８４６７０号公報
【発明の開示】
【発明が解決しようとする課題】
【０００６】
しかしながら、送電線路絶縁抵抗を測定する際には作業員は送電線路の停電を十分に確認しているが、ＧＩＳ線路ユニットが複数台設置されている場合には、誤認または錯覚によって充電中（運転中）の送電線路の計器用変圧器の一次側接地線を作業員が取り外してしまうと、設備の損壊や作業員の感電に繋がるという問題があった。
また、上記特許文献１に開示された接地形計器用変圧器では、コンデンサが故障すると運転中に接地形計器用変圧器の高圧巻線の接地端子を接地することができなくなるという問題がある。
【０００７】
本発明の目的は、計器用変圧器の一次側接地線取外し作業を安全かつ確実に実施することができるガス絶縁開閉装置を提供することにある。
【課題を解決するための手段】
【０００８】
本発明のガス絶縁開閉装置は、接地開閉器（１１３）および計器用変圧器（１１６）を具備し、該計器用変圧器の一次側接地線（１１６ａ）に取り付けられている接地線取外し器（１１８）の接続バー（１１８ａ）を抜くことにより該一次側接地線を取り外すことができるガス絶縁開閉装置であって、前記接続バーを抜くことができないようにロックするための接続バーロック手段（１１）と、少なくとも前記接地開閉器が閉じられていることを条件として前記接続バーロック手段による前記接続バーのロックを解除するためのロック解除手段（１２）とをさらに具備することを特徴とする。
ここで、前記接続バーが、第１および第２の締付ナット（１１８ｂ1，１１８ｂ2）を緩めることにより抜くことができ、前記接続バーロック手段が、前記第１および第２の締付ナットを緩めることができないようにして前記接続バーをロックする手段（１１ｂ）を備えてもよい。
前記計器用変圧器の２次電圧が所定の電圧検出基準値以上であるかを検出するための電圧検出手段（１１７）と、前記一次側接地線に設けられた変流器（２０）と、該変流器の２次電流が所定の電流検出基準値以上であるかを検出するための電流検出手段（２１）と、前記ロック解除手段を動作させるための機械的スイッチ手段（１３）とをさらに具備し、前記ロック解除手段が、前記電圧検出手段によって前記電圧検出基準値以上の２次電圧が検出されず、かつ、前記電流検出手段によって前記電流検出基準値以上の２次電流が検出されず、かつ、前記接地開閉器が閉じられており、かつ、前記機械的スイッチ手段が閉じられたことを条件として、前記接続バーロック手段による前記接続バーのロックを解除する手段（１２ａ，１２ｂ）を備えてもよい。
前記接地線取外し器と並列に設けられた機械的スイッチ（５０）をさらに具備し、前記ロック解除手段が、前記機械的スイッチが閉じられていることをさらに条件として、前記接続バーロック手段による前記接続バーのロックを解除してもよい。
【発明の効果】
【０００９】
本発明のガス絶縁開閉装置は、以下に示す効果を奏する。
（１）少なくとも接地開閉器が閉じられていない場合には計器用変圧器の一次側接地線を取り外せないようにすることができるので、計器用変圧器の一次側接地線取外し作業を安全かつ確実に実施することができる。
（２）計器用変圧器の一次側接地線取外し作業の危険性および重要性について作業員に注意喚起することができる。
【発明を実施するための最良の形態】
【００１０】
上記の目的を、常時は接続バーをロックして作業員が接続バーを抜けないようにしておき、送電線路絶縁抵抗を測定する際には少なくとも接地開閉器が閉じられていることを条件として接続バーのロックを解除して作業員が接続バーを抜けるようにすることにより実現した。
【実施例１】
【００１１】
以下、本発明のガス絶縁開閉装置の実施例について図面を参照して説明する。
まず、本発明の第１の実施例によるガス絶縁開閉装置について、図１および図２を参照して説明する。
本実施例によるガス絶縁開閉装置は、図１に示すように、第１および第２の締付ナット１１８ｂ1，１１８ｂ2を緩めることができないようにして接続バー１１８ａをロックするための接続バーロック器具１１と、図２に白抜き矢印で示すように接続バーロック器具１１を接続バー１１８ａの長手方向に対して垂直方向に接続バー１１８ａから遠ざけるように移動させて（すなわち、図２左方向に移動させて）第１および第２の締付ナット１１８ｂ1，１１８ｂ2を緩めることができるようにするためのロック器具駆動装置１２と、ロック器具駆動装置１２を動作させるためのプッシュボタンスイッチ１３（機械的スイッチ手段）と、計器用変圧器１１６（図７参照）の一次側接地線１１６ａの接地線取外し器１１８よりもアース側に取り付けられた変流器２０と、変流器２０から入力される２次電流が所定の電流整定値（たとえば、１１０ｋＶ電力系統では１Ａ）以上であると動作する電流リレー（Ａｘ）２１とを具備する点で、図６および図７に示した従来のガス絶縁開閉装置１１０と異なる。
【００１２】
ここで、接続バーロック器具１１は、円筒形状の軸部１１ａと、長手方向が軸部１１ａの長手方向と垂直になるように側面が軸部１１ａの先端に一体的に取り付けられたロック部１１ｂとを備える。
ロック部１１ｂの軸部１１ａと反対側の側面の一方の端面側には、第１の締付ナット１１８ｂ1を接続バー１１８ａの長手方向に沿って両側から（すなわち、図１上下から）挟んで緩めることができないようにするための２本の指部が設けられている。また、ロック部１１ｂの軸部１１ａと反対側の側面の他方の端面側には、第２の締付ナット１１８ｂ2を接続バー１１８ａの長手方向に沿って両側から（すなわち、図１上下から）挟んで緩めることができないようにするための２本の指部が設けられている。
【００１３】
ロック器具駆動装置１２は、ロック部１１ｂの軸部１１ａを接続バー１１８ａの長手方向に対して垂直方向に沿って移動させる（すなわち、図１左右方向に移動させる）ための駆動機構１２ａと、駆動機構１２ａを動作させるための駆動回路１２ｂとを備える。
【００１４】
駆動回路１２ｂは、図３に示すように、第１乃至第３のインバータ３１1〜３１3と、論理積回路３２と、駆動信号生成部３３とを備える。
第１のインバータ３１1は、計器用変圧器１１６の２次側に設けられた電圧リレー１１７（図７参照）から入力される電圧リレー動作信号ＳVx（電圧リレー１１７が動作しているとハイレベルである信号）の極性を反転する。
第２のインバータ３１2は、電流リレー２１から入力される電流リレー動作信号ＳAx（電流リレー２１が動作しているとハイレベルである信号）の極性を反転する。
第３のインバータ３１3は、プッシュボタンスイッチ１３から入力されるプッシュボタンスイッチ状態信号ＳPBS（プッシュボタンスイッチ１３が押されているとハイレベルである信号）の極性を反転する。
論理積回路３２は、第１および第２のインバータ３１1，３１2の出力信号と接地開閉器１１３（図７参照）から入力される接地開閉器状態信号ＳLE（接地開閉器１１３が開かれているとハイレベルである信号）とプッシュボタンスイッチ状態信号ＳPBSとの論理積をとる。
駆動信号生成部３３は、第３のインバータ３１3の出力信号がロウレベルからハイレベルになると（すなわち、プッシュボタンスイッチ１３が押された状態から押されていない状態に戻される）と駆動機構１２ａを動作させて接続バーロック器具１１を接続バー１１８ａに近付ける方向（すなわち、図１右方向）に移動させて接続バーロック器具１１によって接続バー１１８ａをロックし、かつ、論理積回路３２の出力信号がロウレベルからハイレベルになると駆動機構１２ａを動作させて接続バーロック器具１１を接続バー１１８ａから遠ざける方向（すなわち、図１左方向）に移動させて接続バーロック器具１１による接続バー１１８ａのロックを解除するための駆動信号ＳOUTを生成する。
【００１５】
これにより、本実施例によるガス絶縁開閉装置では、電圧リレー動作信号ＳVxおよび電流リレー動作信号ＳAxがロウレベルであり（すなわち、電圧リレー１１７および電流リレー２１が不動作であり）、かつ、接地開閉器状態信号ＳLEがハイレベルであり（すなわち、接地開閉器１１３が閉じられており）、かつ、プッシュボタンスイッチ状態信号ＳPBSがハイレベルである（すなわち、作業員によってプッシュボタンスイッチ１３が押された）ことを条件として、接続バーロック器具１１による接続バー１１８ａのロックを解除するための駆動信号ＳOUTが生成されるため、たとえば送電線路の充電中に作業員が誤ってプッシュボタンスイッチ１３を押しても接続バーロック器具１１による接続バー１１８ａのロックを解除されないようにすることができる。
【００１６】
本実施例によるガス絶縁開閉装置が設置された送電線路の絶縁抵抗の測定は以下の手順で行われる。
作業員は、送電線路絶縁抵抗測定を行う前に、接地開閉器１１３が閉じられていることを確認する。
なお、接地開閉器１１３が閉じられていると、接地開閉器状態信号ＳLEはハイレベルになっている。また、計器用変圧器１１６の２次電圧は所定の電圧整定値（たとえば、１１０ｋＶ電力系統で２０Ｖ）よりも小さくなっているため、電圧リレー１１７は動作せず、電圧リレー動作信号ＳVxはロウレベルになっている。さらに、計器用変圧器１１６の一次側接地線１１６にはほとんど電流が流れないため、変流器２０の２次電流は電流整定値よりも小さくなっているので、電流リレー２１は動作せず、電流リレー動作信号ＳAxはロウレベルになっている。
【００１７】
接地開閉器１１３が閉じられていることを確認すると、作業員は、プッシュボタンスイッチ１３を押す。これにより、プッシュボタンスイッチ状態信号ＳPBSはロウレベルからハイレベルになる。
その結果、ロック器具駆動装置１２の駆動回路１２ｂにはロウレベルの電圧リレー動作信号ＳVxおよび電流リレー動作信号ＳAxとハイレベルの接地開閉器状態信号ＳLEおよびプッシュボタンスイッチ状態信号ＳPBSとが入力されるため、駆動回路１２ｂの論理積回路３２の出力信号がロウレベルからハイレベルになるので、接続バーロック器具１１による接続バー１１８ａのロックを解除するための駆動信号ＳOUTが駆動信号生成部３３によって生成されて駆動機構１２ｂに出力される。これにより、接続バーロック器具１１による接続バー１１８ａのロックが解除される。
【００１８】
接続バーロック器具１１による接続バー１１８ａのロックが解除されると、作業員は、第１および第２の締付ナット１１８ｂ1，１１８ｂ2をスパナなどで緩めたのちに、接続バー１１８ａを抜いて一次側接地線１１６ａを取り外す。
【００１９】
一次側接地線１１６ａを取り外すと、作業員は、接地開閉器１１３を開いたのちに、メガー２００（図６参照）を用いて送電線路絶縁抵抗測定を行う。
【実施例２】
【００２０】
次に、本発明の第２の実施例によるガス絶縁開閉装置について、図４および図５を参照して説明する。
本実施例によるガス絶縁開閉装置は、以下に示す２点で上述した第１の実施例によるガス絶縁開閉装置と異なる。
（１）図４に示すように接地線取外し器１１８と並列に設けられたナイフスイッチ５０（機械的スイッチ）をさらに具備する。
これにより、作業員が誤って接続バー１１８ａに触れても一次側接地線１１６ａを流れている電流はナイフスイッチ５０を通ってアースに流れるため、作業員の感電を防止することができる。
【００２１】
（２）ロック器具駆動装置１２の駆動回路１２ｂ’が、電圧リレー動作信号ＳVxおよび電流リレー動作信号ＳAxがロウレベルであり、かつ、接地開閉器状態信号ＳLEがハイレベルであり、かつ、プッシュボタンスイッチ状態信号ＳPBSがハイレベルであるほか、ナイフスイッチ５０から入力されるナイフスイッチ状態信号ＳKSがハイレベル（すなわち、ナイフスイッチ５０が閉じられている）ことを条件として、接続バーロック器具１１による接続バー１１８ａのロックを解除するための駆動信号ＳOUTを生成する。
これにより、ナイフスイッチ５０が開いている場合には接続バーロック器具１１による接続バー１１８ａのロックを解除することができないため、ナイフスイッチ５０が開いていることに気づかずに作業員がプッシュボタンスイッチ１３を押しても接続バー１１８ａを抜けないようにすることができる。
これを実現するため、駆動回路１２ｂ’は、図５に示すように、図３に示した論理積回路３２の代わりに、第１および第２のインバータ３１1，３１2の出力信号と接地開閉器状態信号ＳLEとプッシュボタンスイッチ状態信号ＳPBSとナイフスイッチ状態信号ＳKSとの論理積をとるための論理積回路３２’を備える。
【００２２】
本実施例によるガス絶縁開閉装置が設置された送電線路の絶縁抵抗測定は以下の手順で行われる。
作業員は、送電線路絶縁抵抗測定を行う前に、接地開閉器１１３が閉じられていることを確認する。
なお、接地開閉器１１３が閉じられていると、接地開閉器状態信号ＳLEはハイレベルになっている。また、計器用変圧器１１６の２次電圧は電圧整定値よりも小さくなっているため、電圧リレー動作信号ＳVxはロウレベルになっている。さらに、変流器２０の２次電流は電流整定値よりも小さくなっているため、電流リレー動作信号ＳAxはロウレベルになっている。
【００２３】
作業員は、ナイフスイッチ５０が閉じられていることも確認する。
なお、ナイフスイッチ５０が閉じられていると、ナイフスイッチ状態信号ＳKSはハイレベルになっている。
【００２４】
接地開閉器１１３およびナイフスイッチ５０が閉じられていることを確認すると、作業員はプッシュボタンスイッチ１３を押す。
これにより、プッシュボタンスイッチ状態信号ＳPBSはロウレベルからハイレベルになる。その結果、駆動回路１２ｂ’にはロウレベルの電圧リレー動作信号ＳVxおよび電流リレー動作信号ＳAxとハイレベルの接地開閉器状態信号ＳLE、ナイフスイッチ状態信号ＳKSおよびプッシュボタンスイッチ状態信号ＳPBSが入力されるため、論理積回路３２’の出力信号がロウレベルからハイレベルになるので、接続バーロック器具１１による接続バー１１８ａのロックを解除するための駆動信号ＳOUTが生成されて駆動機構１２ｂに出力されて、接続バー１１８ａのロックが解除される。
【００２５】
接続バー１１８ａのロックが解除されると、作業員は、第１および第２の締付ナット１１８ｂ1，１１８ｂ2をスパナなどで緩めたのち、接続バー１１８ａを抜いて一次側接地線１１６ａを取り外す。
【００２６】
一次側接地線１１６ａを取り外すと、作業員は、ナイフスイッチ５０を開いたのち、接地開閉器１１３を開く。その後、作業員はメガー２００（図６参照）を用いて送電線路絶縁抵抗測定を行う。
【００２７】
以上の説明では、接続バー１１８ａのロックを解除する条件として電圧リレー１１７および電流リレー２１の不動作を含めたが、含めなくてもよい。
【００２８】
また、電圧リレー１１７および電流リレー２１の代わりに、計器用変圧器１１６の２次電圧が所定の電圧検出基準値以上であるかを検出するための電圧センサーおよび変流器２０の２次電流が所定の電流検出基準値以上であるかを検出するための電流センサーを用いてもよい。
この場合には、電圧センサーによって電圧検出基準値以上の２次電圧が検出されず、かつ、電流センサーによって電流検出基準値以上の２次電流が検出されず、かつ、接地開閉器１１３が閉じられており、かつ、プッシュボタンスイッチ１３が押されたことを条件として、接続バーロック器具１１による接続バー１１８ａのロックを解除する。
【図面の簡単な説明】
【００２９】
【図１】本発明の第１の実施例によるガス絶縁開閉装置の特徴部を説明するための図である。
【図２】図１に示した接続バーロック器具１１による接続バー１１８ａのロックを解除した状態を示す図である。
【図３】図１に示した駆動回路１２ｂの構成を示すブロック図である。
【図４】本発明の第２の実施例によるガス絶縁開閉装置の特徴部を説明するための図である。
【図５】図４に示した駆動回路１２ｂ’の構成を示すブロック図である。
【図６】従来の送電線路電力ケーブル引込方式のガス絶縁開閉装置１１０の構成について説明するための図である。
【図７】図６に示したガス絶縁開閉装置１１０の電気回路ブロック図である。
【符号の説明】
【００３０】
１  母線
１１  接続バーロック器具
１１ａ  軸部
１１ｂ  ロック部
１２  ロック器具駆動装置
１２ａ  駆動機構
１２ｂ，１２ｂ’  駆動回路
１３  プッシュボタンスイッチ
２０  変流器
２１  電流リレー
３１1〜３１3  第１乃至第３のインバータ
３２，３２’  論理積回路
３３  駆動信号生成部
５０  ナイフスイッチ
１１０  ガス絶縁開閉装置
１１０ａ  遮断器収納部
１１０ｂ  断路器・接地開閉器収納部
１１０ｃ  避雷器収納部
１１０ｄ  計器用変圧器収納部
１１１  遮断器
１１２  断路器
１１３  接地開閉器
１１４  ケーブルヘッド
１１５  避雷器
１１６  計器用変圧器
１１６ａ  一次側接地線
１１７  電圧リレー
１１８  接地線取外し器
１１８ａ  接続バー
１１８ｂ1，１１８ｂ2  第１および第２の締付ナット
２００  メガー
ＳVx  電圧リレー動作信号
ＳAx  電流リレー動作信号
ＳPBS  プッシュボタンスイッチ状態信号
ＳLE  接地開閉器状態信号
ＳKS  ナイフスイッチ状態信号
ＳOUT  駆動信号
【図１】
2010154630.tif 000003
【図２】
2010154630.tif 000004
【図３】
2010154630.tif 000005
【図４】
2010154630.tif 000006
【図５】
2010154630.tif 000007
【図６】
2010154630.tif 000008
【図７】
2010154630.tif 000009